(57)【特許請求の範囲】
【請求項１】
芳香剤を収容し、上部口部の周りにネジ部が設けられている容器本体と、容器本体の前記ネジ部に螺合して前記上部口部を開閉可能に覆うキャップとからなり、  前記容器本体は、ネジ部の下方であって胴部の周りの複数箇所に外方に向けて突出した複数の凸部を備え、前記キャップは、該キャップの天部側から垂下して容器本体の前記凸部に係脱可能に設けられた複数の垂れ壁を備え、
前記キャップが容器本体の上部口部から離れて前記垂れ壁それぞれが容器本体の凸部に係止して、キャップの天部の上方への離間により開放された上部口部から垂れ壁の間を経て外方に通じる芳香成分の放散経路が形成される構成としたことを特徴とする芳香剤容器。
【請求項２】
上記容器本体の上部口部は、該上部口部の周辺に取り外し可能にシールされたシート状蓋材で覆われて、該シート状蓋材で容器本体の内部が封止されている請求項１に記載の芳香剤容器。
【請求項３】
上記容器本体の内面全面に、無機物を化学気相蒸着法によりコーティングしてなるバリア層が設けられている請求項１または２に記載の芳香剤容器。
【発明の詳細な説明】
【０００１】
【発明の属する技術分野】
本発明は芳香剤容器に関するものである。
【０００２】
【発明が解決しようとする課題】
従来から室内の消臭や香り出しなどを目的とする芳香商品にはゲル状の芳香剤を収容した芳香剤容器が多く提供されている。そして、前記ゲル状芳香剤を収容した芳香剤容器としては金属缶、ガラス瓶、ポリプロピレン樹脂製やポリエチレンテレフタレート樹脂製の樹脂ボトルなどが利用されている。
【０００３】
ところで、芳香剤容器の用いられる容器の内、樹脂ボトルにあっては一般的に容器本体とこの容器本体の上部口部に着脱するキャップとからなり、キャップが上部口部を開けたり閉めたりするだけの構成であることから、芳香成分が全開の上部口部から広がり出る状態とキャップで上部口部が閉じられて芳香成分が全く広がらない状態の二通りしかない。そのため、この樹脂ボトルにゲル状芳香剤を収容した芳香製品では、使用者の好み等に応じて芳香の度合いを調整するということができない問題がある。
一方、芳香製品において、各種の芳香剤に対しては金属缶、ガラス瓶、樹脂ボトルのいずれも使用できるというものではなく、収容する芳香剤の保存性を考慮して容器本体に金属缶とガラス瓶のいずれかを採用しなければならない場合があった。即ち、リモネンなどの柑橘系の香りとなる芳香成分を発するようにした芳香剤を樹脂ボトルの容器本体に収容した場合、前記芳香成分が容器本体を浸透してしまうことがあり、流通時などの未使用状態の時点で芳香剤を安定的に保存できない。この理由で容器本体として金属缶とガラス瓶しか採用できない場合がある。しかしながら、容器本体を金属缶やガラス瓶とした場合、商品の外観のデザイン性が著しく乏しくなるという問題を有している。
そこで本発明は上記事情に鑑み、容器本体とこの容器本体の上部口部を覆うキャップとからなる容器において、容器本体に収容したゲル状芳香剤からの芳香度合いを調整できるようにし、また収容したゲル状芳香剤からの芳香成分が容器本体を浸透して外部に香りでないようにすることを課題とし、樹脂ボトルに芳香度合いが調整できるとともに上部口部を閉じたときにはゲル状芳香剤を安定的に収容できるようにすることを目的とする。
【０００４】
【課題を解決するための手段】
本発明は上記課題を考慮してなされたもので、芳香剤を収容し、上部口部の周りにネジ部が設けられている容器本体と、容器本体の前記ネジ部に螺合して前記上部口部を開閉可能に覆うキャップとからなり、前記容器本体は、ネジ部の下方であって胴部の周りの複数箇所に外方に向けて突出した複数の凸部を備え、前記キャップは、該キャップの天部側から垂下して容器本体の前記凸部に係脱可能に設けられた複数の垂れ壁を備え、前記キャップが容器本体の上部口部から離れて前記垂れ壁それぞれが容器本体の凸部に係止して、キャップの天部の上方への離間により開放された上部口部から垂れ壁の間を経て外方に通じる芳香成分の放散経路が形成される構成としたことを特徴とする芳香剤容器を提供して、上記課題を解消するものである。
そして、本発明において、上記容器本体の上部口部は、該上部口部の周辺に取り外し可能にシールされたシート状蓋材で覆われて、該シート状蓋材で容器本体の内部が封止されているものとすることが可能であり、また、上記容器本体の内面全面に、無機物を化学気相蒸着法によりコーティングしてなるバリア層が設けられているものとすることが可能である。
【０００５】
【発明の実施の形態】
つぎに本発明を図１から図５に示す実施の形態に基づいて詳細に説明する。
図中１は芳香剤容器で、該芳香剤容器１は合成樹脂材からなる容器本体２とこの容器本体２の上部口部３を開閉するキャップ４とからなるものである。
容器本体２は熱可塑性樹脂、例えばＨＤＰＥ（高密度ポリエチレン樹脂）、ＰＰ（ポリプロピレン樹脂）、ＰＥＴ（ポリエチレンテレフタレート樹脂）などを用いてブロー成形されたものであり、図示されているように上部口部３の周りに外ネジとしたネジ部５が設けられている。また、前記ネジ部５の下方は、上部口部３より内径を大きくして略筒状とした有底の胴部６に連続していて、この胴部６にあっては下部側が胴部６の一般部分よりその内径を大きくした大径部７としているとともに、ネジ部５の下方となる胴部６の上部側では、胴部６の周りの三箇所を膨出させることで外方に向けて突出した三つの凸部８が設けられている。
【０００６】
図２に示すように胴部６の一般部分の内半径をｒ１とし、大径部７の内半径をｒ２として、その差（ｒ２−ｒ１）が大体５〜１０ｍｍ程度とされ、外観を整えるために胴部６の上部側に位置する凸部８の部分においても内半径がｒ２となるようにそれぞれの突出量が設定されている。さらに、それぞれの凸部８の湾曲した突出面９には上下二段にして凹溝１０があり、後述するようにこの凹溝１０を利用してキャップ４位置決めできるようにしている。
【０００７】
上記構造にブロー成形により形成された容器本体２にあってはその内部に配するゲル状芳香剤の芳香成分が直接容器本体２の内面から浸透しないようにするために、容器本体２の内面全面にバリア層１１が設けられてる（図４、５参照）。このバリア層１１は、ＳｉＯｘなどの無機物を化学気相蒸着法（ＣＶＤ）によりコーティングしてなるものである。このように容器本体２にはその内面全面にバリア層１１が設けられているため、収容したゲル状芳香剤からの芳香成分が容器本体２に浸透することによる外部への香り出しを防止し、上記上部口部３が閉じられている状態、例えば、流通段階や店舗展示段階、および購入者側で上部口部３を閉止した未使用状態で、ゲル状芳香剤を安定的に収容できるようになる。
【０００８】
また、この芳香剤容器１において、上記流通段階や店舗展示段階、および購入者側で上部口部３を閉止した未使用状態では、後述する形態のキャップ４が容器本体２のネジ部５に螺着しており、上部口部３は開放されていない。そして、未使用時に上部口部３から芳香成分が漏れ出ることを確実に防止するために、この上部口部３は、該上部口部３の周辺に取り外し可能に高周波シールされたシート状蓋材１２で覆われ、該シート状蓋材１２で容器本体２の内部が封止されている（図４参照）。
前記シート状蓋材１２は、アルミニウム箔やアルミニウム蒸着層などのアルミニウム層をバリア性のある中間体とし、高周波シール適性を有し、良好な接着性とともにイージービール性（良好な引き剥ぎ易さ）を有したものである。勿論、バリア性、高周波シール適性、接着性、イージービール性について満足するものであるならば、アルミニウムの中間体を備えないものであってもよい。
【０００９】
図３に示すようにキャップ４は、上記上部口部３に対応して天部１３の下面に環状壁１４が設けられていて、この環状壁１４の内周に内ネジのネジ部１５を備えている。そして、前記ネジ部１５が上部口部３周りの上記ネジ部５に螺合することで、このキャップ４が容器本体２に対して着脱可能に設けられ、閉じる方向にキャップ４を螺合回転させることで前記天部１３が上部口部３を覆うようにしており、未使用状態の芳香剤容器１においてキャップ４を取り外して上記シート状蓋材１２を剥ぎ取って上部口部３を開放した場合も、このキャップ４を再びセットして閉じる方向に螺合回転させることで上部口部３が天部１３にて閉じられ、芳香成分がこの上部口部３から漏れ出ないようにしている。
【００１０】
さらにキャップ４の天部１３にあっては上記環状壁１４の径より大径とされ、その天部１３の外周側から垂下して上記凸部８に対応する三つの垂れ壁１６を一体に備えている。垂れ壁１６それぞれの上下方向の長さは、図４、５に示されているように上部口部３を閉じた状態のときに垂れ壁１６の下端が凸部８より下方となり、またキャップ４の環状壁１４が上部口部３の周りのネジ部５から外れ、開放された上部口部３の上方に所要間隔で天部１３が離れたときに前記垂れ壁１６の下部が凸部８の突出面９に相対するように設定されている。
上記垂れ壁１６の下部の内面には、上記凸部８の凹溝１０に係止可能な凸リブ１７を突設していて、キャップ４にて上部口部３を閉じているときにはこの凸リブ１７は凸部８と接触せず（図４）、また上述のように上部口部３の上方に所要間隔で天部１３を離して、垂れ壁１６それぞれを凸部８の突出面９に位置させるようにすることで、前記凸リブ１７が凹溝１０に係止し、キャップ４が位置決めされる。図５に示すようにキャップ４の天部１３の上方への離間して、上部口部３の上端面と環状壁１４の下端面との間で上下方向での隙間が生じると、上部口部３から垂れ壁１６の間を経て外方に通じる芳香成分の放散経路が形成される。
【００１１】
そして、キャップ４の天部１３が上部口部３から離れた状態でキャップ４を上げ下げすることで、垂れ壁１６の撓みなどによって凸リブ１７が凹溝１０に対して係脱する。このようにして垂れ壁１６が凸部８に係脱可能に設けられており。上位の凹溝１０それぞれに凸リブ１７を係止させることで、開放された上部口部３と天部１３との間隔を大きくした状態でキャップ４が支持され、また、下位の凹溝１０それぞれに凸リブ１７を係止させることで、開放された上部口部３と天部１３との間隔を小さくした状態でキャップ４が支持されるものとなり、凸リブ１７の係止位置の選択により上部口部３と天部１３との間隔、即ち、上部口部３の上端面から環状壁１４の下端面との間の隙間が変化し、これによって、上部口部３から芳香成分が気体として流れ出る度合いが変化することとなり、芳香剤容器１からの芳香成分の芳香度合いを調整できるものとなっている。
上記凸リブ１７を凹溝１０に係止させたり凹溝１０から外したりするのは手操作で行なうものであり、凸リブ１７と凹溝１０の係合関係を積極的に外す操作を行なわない限り、芳香剤容器１を他の物と接触させるなどの不用意な扱いを行なっても凸リブ１７が凹溝１０に係止している状態が解消されることはなく、確実にキャップ４が位置決めされた状態となる。そして、容器本体２にはゲル状芳香剤が収容されているため、芳香剤容器１を逆さまに静置しても上部口部３が自然に閉じることはなく、芳香成分の放散経路が維持される。即ち、芳香剤容器１は逆さまでも使用できるように設けられているものである。
なお、キャップ４で上部口部３を閉じるためにそのキャップ４を押し下げ、環状壁１４の下端部が上部口部３の上端部の高さ位置に達するときには、凸リブ１７が凹溝１０から外れており、キャップ４を閉じる方向に回転させる操作がスムーズに行なえるように図られている。
【００１２】
【発明の効果】
以上説明したように、本発明によれば、芳香剤を収容し、上部口部の周りにネジ部が設けられている容器本体と、容器本体の前記ネジ部に螺合して前記上部口部を開閉可能に覆うキャップとからなり、前記容器本体は、ネジ部の下方であって胴部の周りの複数箇所に外方に向けて突出した複数の凸部を備え、前記キャップは、該キャップの天部側から垂下して容器本体の前記凸部に係脱可能に設けられた複数の垂れ壁を備え、前記キャップが容器本体の上部口部から離れて前記垂れ壁それぞれが容器本体の凸部に係止して、キャップの天部の上方への離間により開放された上部口部から垂れ壁の間を経て外方に通じる芳香成分の放散経路が形成される構成としたことを特徴とするものである。
このようにキャップの垂れ壁を容器本体の凸部に係止させて芳香成分が漂い出る放散経路が形成されるようにしているので、キャップの上下への移動によって上部口部とキャップとの間の隙間は変化することとなり、上部口部からの芳香成分の芳香度合いを、芳香剤の使用環境や使用者の好みに応じて変化させることができる。また、キャップが位置決めされる状態となるため、芳香剤容器を逆さまにしても使用できるようになる。
【００１３】
また、容器本体の内面全面に、無機物を化学気相蒸着法によりコーティングしてなるバリア層を設けるようにすることで、容器本体を合成樹脂製としてもリモネンなどの柑橘系ゲル状芳香剤の芳香成分がその容器本体自体に浸透することがない。よって、柑橘系ゲル状芳香剤の容器が金属缶やガラス瓶に限定されず、合成樹脂の容器も利用できるようになり、容器本体を合成樹脂製とすることで、デザインの自由度の高い芳香剤容器が簡単に得られるようになるなど、実用性に優れた効果を奏するものである。
【図面の簡単な説明】
【図１】本発明に係る芳香剤容器の一例を容器本体とシート状蓋材とキャップとを分離した状態で示す説明図である。
【図２】一例における容器本体を示すもので、（イ）は胴部の一般部分を断面で示す説明図、（ロ）は胴部の下部を断面で示す説明図、（ハ）は胴部の上部を断面で示す説明図である。
【図３】一例におけるキャップを一部切り欠いて示す説明図である。
【図４】一例の未使用時を示すもので、（イ）は外観を示す説明図、（ロ）は縦断面の一部を示す説明図である。
【図５】一例の上部口部の開放状態を示すもので、（イ）は外観を示す説明図、（ロ）は縦断面の一部を示す説明図である。
【符号の説明】
１…芳香剤容器
２…容器本体
３…上部口部
４…キャップ
５…ネジ部
８…凸部
１０…凹溝
１１…バリア層
１２…シート状蓋材
１３…天部
１４…環状壁
１５…ネジ部
１６…垂れ壁
１７…凸リブ
【図１】
0004126917.tif 000002
【図２】
0004126917.tif 000003
【図３】
0004126917.tif 000004
【図４】
0004126917.tif 000005
【図５】
0004126917.tif 000006